(57)【要約】【課題】  簡易な構成でありながら、悪臭の発生を抑えて快適に使用できる仮設トイレを提供する。【解決手段】  仮設トイレ１は、酸素ハイドレートを分解する分解器４と、前記酸素ハイドレートの分解により生じる水をトイレ室２に供給して便槽を冷却するための水配管７と、前記酸素ハイドレートの分解により生じる酸素を便槽へ供給する酸素配管８とを備える。【選択図】  図１
2007319315.tif 000002
【特許請求の範囲】
【請求項１】
便槽を有する仮設トイレにおいて、
酸素ハイドレートを分解する分解器と、
該分解器における酸素ハイドレートの分解により生じる水を用いて前記便槽を冷却する冷却手段と、
前記分解器における酸素ハイドレートの分解により生じる酸素を前記便槽へ供給する酸素供給手段と
を備えたことを特徴とする仮設トイレ。
【請求項２】
請求項１記載の仮設トイレにおいて、
前記冷却手段は、前記便槽の周囲に密着して設けられ、前記酸素ハイドレートの分解により生じる水を通す配管から成ることを特徴とする仮設トイレ。
【請求項３】
便器及び便槽を有する仮設トイレにおいて、
酸素ハイドレートを分解する分解器と、
該分解器における酸素ハイドレートの分解により生じる水を用いて前記便槽を冷却する冷却手段と、
該分解器における酸素ハイドレートの分解により生じる水を前記便器に供給する給水手段と、
前記分解器における酸素ハイドレートの分解により生じる酸素を前記便槽へ供給する酸素供給手段と
を備えたことを特徴とする仮設トイレ。
【請求項４】
請求項１記載の仮設トイレにおいて、
前記冷却手段は、前記便槽の周囲に密着して設けられ、前記酸素ハイドレートの分解により生じる水を通す配管から成り、
前記給水手段は、前記便槽の周囲に設けられた配管に接続して前記水を前記便器内の洗浄ノズルに送る配管から成ることを特徴とする仮設トイレ。
【発明の詳細な説明】
【技術分野】
【０００１】
本発明は、上下水道を利用できない場合に使用する仮設トイレに関する。
【背景技術】
【０００２】
祭事や災害時、工事現場等のように、上下水道を利用できない場合には、仮設トイレが利用されている。仮設トイレでは、非水洗式であることが多く、その場合、便器と便槽の間を遮蔽することができず、便槽に溜まった汚物又は汚泥が気化・腐敗することで悪臭が発生するという問題があった。
【０００３】
そこで、下記特許文献１には、汚物タンクが汚物で一杯になったとき、新しい汚物タンクと交換できることで、汚物タンクから汚物を汲み取らなくても継続してトイレの使用をすることができ、どのような場所であっても設置可能な仮設トイレが記載されている。これは、便器と、該便器と用便部とを囲う遮蔽壁と、便器および遮蔽壁を下方から受けるとともに汚物タンクを有する架台とを備えた仮設トイレであって、架台が、架台本体と、この架台本体に着脱自在な着脱式汚物タンクとを備えたものである。
【特許文献１】特開２００５−６５８８６号公報
【発明の開示】
【発明が解決しようとする課題】
【０００４】
しかしながら、上記特許文献１記載の仮設トイレは汚物タンクの交換が簡単にできるものの、汚物タンクからの悪臭が発生することは防げず、また、夏場であれば腐敗臭が発生する前に汚物タンクを交換するために交換頻度を高くする必要があり、これに伴う労力や費用が問題となっている。
【０００５】
本発明は、以上の状況に鑑みてなされたものであり、その目的は、簡易な構成でありながら、悪臭の発生を抑えて快適に使用できる仮設トイレを提供することである。
【課題を解決するための手段】
【０００６】
本発明は、酸素をゲストガスとする酸素ハイドレートを分解して得られる水を用いて便槽を冷却することにより悪臭の元になる腐敗を抑制すると共に、同ハイドレートを分解して得られる酸素を便槽に供給することにより、好気性細菌の活動を活発にして便槽に溜まった汚泥の分解を促進し悪臭の発生を防止するという着想に基づいてなされたものである。
【０００７】
ここで、酸素をゲストガスとするガスハイドレートは、水分子の作るクラスターの中に、酸素を取り込んだ包接水和物である。
【０００８】
本発明は、便槽を有する仮設トイレにおいて、酸素ハイドレートを分解する分解器と、該分解器における酸素ハイドレートの分解により生じる水を用いて前記便槽を冷却する冷却手段と、前記分解器における酸素ハイドレートの分解により生じる酸素を前記便槽へ供給する酸素供給手段とを備えたことを特徴とする。
【０００９】
本発明の実施態様では、前記冷却手段は、便槽の周囲に密着して設けられ、分解器における酸素ハイドレートの分解により生じる水を通す配管から成る。
【００１０】
また、本発明は、便器及び便槽を有する仮設トイレにおいて、酸素ハイドレートを分解する分解器と、該分解器における酸素ハイドレートの分解により生じる水を用いて前記便槽を冷却する冷却手段と、該分解器における酸素ハイドレートの分解により生じる水を前記便器に供給する給水手段と、前記分解器における酸素ハイドレートの分解により生じる酸素を前記便槽へ供給する酸素供給手段とを備えることを特徴とするものである。
【００１１】
この実施態様においては、前記冷却手段は、便槽の周囲に密着して設けられ、前記分解器における酸素ハイドレートの分解により生じる水を通す配管から成り、前記給水手段は、前記便槽の周囲に設けられた配管に接続して前記水を便器内の洗浄ノズルに送る水配管から成る。
【発明の効果】
【００１２】
本発明によれば、分解器で酸素ハイドレートを分解することにより酸素と水が生じるが、水は温度の低い冷水となっており、これを用いて便槽を冷却することにより悪臭の元になる腐敗を抑制することができる。また、分解で生じる酸素は、便槽に供給されて好気性細菌の活動を活発にする。これにより、便槽に溜まった汚泥の分解を促進させ、悪臭の発生を防止することができる。かくして、快適に使用できる仮設トイレが提供される。
【００１３】
この仮設トイレにおいては、冷却手段は、便槽の周囲に密着して設けられる配管で構成することができ、これに上記冷水を通すことにより、便槽及びその内部に溜まった汚物ないし汚泥を冷却することができる。
【００１４】
また、便器及び便槽を有する仮設トイレにおいては、酸素ハイドレートの分解で生じる水を用いて冷却することに加えて、その水を便器に供給することにより、トイレ使用者の洗い水として使用することができる。かくして、酸素ハイドレートの分解で生じる水と酸素を無駄なく利用する仮設トイレが提供される。
【００１５】
この実施態様の仮設トイレにおいても、冷却手段を便槽の周囲に密着して設けられる配管で構成することができるが、その場合、便器への給水手段として、当該配管から延びて便器内の洗浄ノズルに接続する配管を設けることができる。これにより、酸素ハイドレートの分解で生じた冷水は、上記のように便槽の周囲に密着して設けられた配管を通ることで便槽及びその内部を冷却する結果、水温が上がり、配管から便器内の洗浄ノズルに至ったときにはトイレ室内の温度ないし常温になっているので、洗浄水として支障なく使用することができる。
【００１６】
なお、上記の仮設トイレにおいて、冷水による便槽の冷却は、悪臭が発生しやすい夏季や温度が比較的高い昼間などの時期に行うと効果的であり、また、便槽への酸素供給は、好気性細菌の活動が活発でない比較的寒い時期に行うと効果的である。
【発明を実施するための最良の形態】
【００１７】
図１は、本発明により酸素ハイドレートの分解で生じた水と酸素が供給される仮設トイレの構成を示す。以下、酸素ハイドレートを「ＯＧＨ」と記述する。
【００１８】
仮設トイレ１は、図３に示す便器２ａと便槽２ｂを設置したトイレ室２、ＯＧＨを貯蔵するタンク３、このタンク３からＯＧＨが供給されるＯＧＨ分解器４、ここでＯＧＨの分解により生じる水をトイレ室２へ供給する水配管７、及びＯＧＨの分解で生じる酸素をトイレ室２へ供給する酸素配管８を備えて構成される。水配管７は、トイレ室２内の便槽２ｂの周囲に密着して設けられた冷却手段としての配管７ａに接続し、酸素配管８は、トイレ室２内の便槽２ｂに酸素を送り込む酸素供給手段として便槽２ｂ内に通じている。
【００１９】
図２に示すように、ＯＧＨ分解器４は、ステンレス製の耐圧容器２０の周面にＯＧＨ供給口２１、酸素出口２２、水出口２３を設け、容器２０の内部に網板２４を備えると共に、一端が水出口２３に接続し他端が容器２０内に水を噴出する噴出口２８を有し、途中にポンプ２６及び加熱器２７を設けた導管２５を備えて構成されている。
【００２０】
ＯＧＨタンク３から供給されるＯＧＨ２９は、ＯＧＨ供給口２１から容器２０内に入り、網板２４上に載せられる。
【００２１】
酸素出口２２は、容器２０上部に設けられ、上記酸素配管８に接続する。ＯＧＨ２９の分解により生成した酸素ガスＧは、酸素出口２２から酸素配管８へ送り込まれる。
【００２２】
水出口２３は、容器２０下部に設けられ、水配管７に接続する。ＯＧＨ２９の分解により生成し、容器２０下部に貯蔵された水Ｗは、水出口２３から水配管７へ送り込まれる。
【００２３】
網板２４は、容器２０内の水Ｗに浸からない高さに、ＯＧＨ２９を載せる支持板として設けられ、水を通す（しかし、ＯＧＨ２９は通さない）孔２４ａを有している。
【００２４】
水出口２３から出た0℃程度の水Ｗの一部は、ポンプ２６に引かれて導管２５を通り、加熱器２７で適温（10℃程度）に温められて容器２０内のＯＧＨ２９に掛けられる。これにより、温水が有する熱をＯＧＨ２９に与えて、ＯＧＨ２９の分解を促進させる。
【００２５】
容器２０内でＯＧＨ２９が分解すると、酸素ガスＧ及び水Ｗが生成される。酸素ガスＧは、酸素出口２２から酸素配管８へ送り出される。水Ｗは、網板２４の穴２４ａを通って容器２０下部に貯蔵され、水出口２３から水配管７へと送り出される。水出口２３から出た水Ｗの一部は、上記のように加熱器２７で温められて温水となり、噴出口２８から容器２０内へ戻される。
【００２６】
図３は、トイレ室２内に設けられた便器２ａ及び便槽２ｂに、前述の酸素ハイドレートの分解により生じた水と酸素を供給するための構造を示す。
【００２７】
図示の構造では、前述の酸素配管８が、逆止弁３１を介して便槽２ｂの内部に接続される。従って、ＯＧＨ分解器４で生じた酸素は、酸素配管８から便槽２ｂ内に供給される。これにより、便槽２ｂ内に生息している好気性細菌の活動を促進して汚物の分解を促し、悪臭の発生を抑えることができる。
【００２８】
また、便槽２ｂの周囲には、前述の水配管７に止水弁３２を介して接続した配管７ａを巡らせる。この止水弁３２が開いていると、ＯＧＨ分解器４においてＯＧＨの分解により発生した低温（0℃程度）の水（冷水）が水配管７から供給され、配管７ａ内を流れることにより、この水と便槽２ｂ及び便槽内の汚物との間で熱交換が行われ、便槽２ｂ内の温度を下げることができる。これにより、汚物の腐敗を抑制して悪臭の発生を抑えることができる。
【００２９】
詳細には、水配管７は、止水弁３２を介して、便槽２ｂの周囲に螺旋状に密着して巻き付けた配管７ａに接続している。この配管７ａは、更に上方に延びた給水手段としての配管７ｂに接続し、その上端部は横方向に曲がり、第２の止水弁３３を介して、便器２ａ内に配置した洗浄ノズル３４に接続している。
【００３０】
以上の構成により、ＯＧＨ分解によって生じた水は、水配管７を介してトイレ室２へ供給され、第１の止水弁３２が開いていれば便槽２ｂの周囲の配管７ａを流れる。その際、便槽２ｂとの間で熱交換が行われ、便槽２ｂ及びその中の汚泥が低温に保たれる。また、配管７ａを通った水は、熱交換により常温程度になり、第２の止水弁３３が開いているとき、水は洗浄ノズル３４から噴出して、洗尻に使用される。
【００３１】
一般に簡易な構成の仮設トイレでは、便器は便槽と直結しており、便器と便槽の間を遮断する手段を有しないので、便槽からの悪臭を遮蔽することができない。しかしながら、図示のトイレ構造によれば、便槽を低温に保つことにより、汚物の腐敗を抑えて悪臭の発生を防止することができる。従って、便器が貯水タンク等の洗浄手段を有しない非水洗式の仮設トイレであっても、快適に使用できるものとなる。
【００３２】
以上、図示の実施形態について説明したが、本発明はこれに限らず、実際の使用態様に応じて種々の形態や改変が可能である。
【図面の簡単な説明】
【００３３】
【図１】酸素ハイドレートの分解で生じた水と酸素が供給される仮設トイレの構成図。
【図２】図１の仮設トイレにおける酸素ハイドレート分解器の構成を示す図。
【図３】図１の仮設トイレにおける便器及び便槽の構成を示す図。
【符号の説明】
【００３４】
１…仮設トイレ、２…トイレ室、２ａ…便器、２ｂ…便槽、３…ＯＧＨタンク、４…ＯＧＨ分解器、７…水配管、７ａ，７ｂ…配管、８…酸素配管、２０…容器、２１…ＯＧＨ供給口、２２…ガス出口、２３…水出口、２４…網板、２４ａ…穴、２５…導管、２６…ポンプ、２７…加熱器、２８…噴出口、２９…ＯＧＨ、３２，３３…止水弁、３４…洗浄ノズル、Ｇ…天然ガス、Ｗ…水。
【図１】
2007319315.tif 000003
【図２】
2007319315.tif 000004
【図３】
2007319315.tif 000005